(57)【要約】【課題】短絡電流発生時に可動接触子が電磁反発力によって反発動作をした際、可動接触子の開極量を大きくとれる回路遮断器を得る。【解決手段】両端部に可動接点１ａ、１ｂを具備した回動形の可動接触子１の接点接触圧力を生み出すための引きばね５（４）を、ばねを構成する２つのコイルの一方の端部同士を接続部５ｂ（４ｂ）で接続すると共に、各コイルの他方の端部に各々フック５ａ（４ａ）を形成した一組の引きばね５として構成し、一組の引きばね５（４）の接続部５ｂ（４ｂ）を可動接触子の可動接点側とは反対側の面１ｃ（１ｄ）に当接させ、該反対側の面１ｃを跨いで引きばねの各コイル部分を可動接触子の回動軸軸方向両面に配置すると共に、フック５ａ（４ａ）を回動駆動棒６に設けられた固定リブ６ａ（６ｂ）に直接固定して前記接点圧力を付与するようにした。【選択図】図１
2009158370.tif 000002
【特許請求の範囲】
【請求項１】
両端部に可動接点を具備した回動形の可動接触子、この可動接触子の可動接点と協働する固定接点が設けられ、短絡電流発生時に前記可動接点へ電流を流し前記可動接触子に開放位置への電磁反発力を発生させる電源側端子および負荷側端子、前記可動接触子に回転力を伝達する回動駆動棒、この回動駆動棒に固定され、遮断器の投入位置で前記可動接点を前記固定接点に押し付ける可動接触子の接点圧力を付与する引きばねを備えた回路遮断器において、前記引きばねは、ばねを構成する２つのコイルの一方の端部同士を接続部で接続すると共に、各コイルの他方の端部に各々フックを形成した一組の引きばねとして構成し、該一組の引きばねの前記接続部を前記可動接触子の可動接点側とは反対側の面に当接させ、該反対側の面を跨いで引きばねの各コイル部分を可動接触子の回動軸軸方向両面に配置すると共に、前記フックを前記回動駆動棒に設けられた固定リブに直接固定して前記接点圧力を付与するようにしたことを特徴とする回路遮断器。
【請求項２】
前記接続部が、略Ｕ形状の接続部であることを特徴とする請求項１に記載の回路遮断器。
【請求項３】
前記一組の引きばねを、前記可動接触子の回動軸心に対して対照的に、少なくとも１対配置したことを特徴とする請求項１または請求項２に記載の回路遮断器。
【発明の詳細な説明】
【技術分野】
【０００１】
この発明は、配線用遮断器や漏電遮断器などの回動形の可動接触子を備えた回路遮断器に関し、特に、回動形の可動接触子の電磁反発力での反発距離（開極距離）の改善を図った回路遮断器に関するものである。
【背景技術】
【０００２】
従来の回動形の可動接触子を用いた回路遮断器として、例えば、特許文献１に示されるものがある。この特許文献１に示される回路遮断器は、接点ブリッジ（可動接触子）は、回動軸に関して対称的に配置される２本の引っ張りばねによって回動駆動棒の中で浮動固定される。それぞれのばねは、一方で接点ブリッジに固定され、他方で回動駆動棒のノッチの中に収容されるロッドに固定され、回動形の接点ブリッジ（可動接触子）は、回路遮断器がオンの時に、接点ブリッジ（可動接触子）の両端の可動接点を引っ張りばねの力によって固定接点に押し付けるよう構成されている。
【０００３】
【特許文献１】特許第３３５２７５０号公報（第３頁右欄第４８行〜第４頁左欄第２２行、図５）
【発明の開示】
【発明が解決しようとする課題】
【０００４】
従来の回路遮断器では、引きばねの片方は可動接触子の接点とは反対の面に固定し、もう片方は、引きばねを形成するコイル幅内にフックを形成して、フックに保持ピンを貫通させ、保持ピンを回動駆動棒に固定する構成となっている。このため、大電流発生時に可動接触子が、電磁反発力によって反発動作をしても、保持ピンと可動接触子が干渉するため、接点間の開極量を大きくできないという問題点があった。また、開極量を大きくするため、保持ピンと干渉しないような可動接触子形状とすると、可動接触子の断面積を小さくする必要があり、通電時の温度上昇を低く抑えられない。また、開閉によって可動接触子が変形しやすいという問題点があった。また、保持ピンを使用するためにコスト的にも高くなるという問題点があった。
【０００５】
この発明は、上述のような課題を解決するためになされたものであり、短絡電流発生時に可動接触子が電磁反発力によって反発動作をした際、可動接触子の開極量を大きくとれる回路遮断器を提供することを目的とするものである。
【課題を解決するための手段】
【０００６】
この発明に係る回路遮断器は、両端部に可動接点を具備した回動形の可動接触子、この可動接触子の可動接点と協働する固定接点が設けられ、短絡電流発生時に前記可動接点へ電流を流し前記可動接触子に開放位置への電磁反発力を発生させる電源側端子および負荷側端子、前記可動接触子に回転力を伝達する回動駆動棒、この回動駆動棒に固定され、遮断器の投入位置で前記可動接点を前記固定接点に押し付ける可動接触子の接点圧力を付与する引きばねを備えた回路遮断器において、前記引きばねは、ばねを構成する２つのコイルの一方の端部同士を接続部で接続すると共に、各コイルの他方の端部に各々フックを形成した一組の引きばねとして構成し、該一組の引きばねの前記接続部を前記可動接触子の可動接点側とは反対側の面に当接させ、該反対側の面を跨いで引きばねの各コイル部分を可動接触子の回動軸軸方向両面に配置すると共に、前記フックを前記回動駆動棒に設けられた固定リブに直接固定して前記接点圧力を付与するようにしたものである。
【発明の効果】
【０００７】
この発明の回路遮断器によれば、回動駆動棒内の可動接触子反発空間に遮蔽物がないため、短絡電流発生時に可動接触子が電磁反発力によって反発動作をした際、可動接触子の開極量を大きくとることができ、安価で、高い限流性能を有した回路遮断器を得ることができる。
【０００８】
上述した、またその他の、この発明の目的、特徴、効果は、以下の実施の形態における詳細な説明および図面の記載からより明らかとなるであろう。
【発明を実施するための最良の形態】
【０００９】
実施の形態１．
以下、この発明の実施の形態１の回路遮断器について、図１〜図４を参照して説明する。図１は、この発明の実施の形態１における回路遮断器の可動接触子反発状態を示す断面図、図２は、回路遮断器がオンの状態を示す断面図、図３は、回路遮断器がオフまたは、トリップの状態を示す断面図、図４は、実施の形態１における引きばね形状を示す側面図（図４（ａ））と上面図（図４（ｂ））である。なお、各図中、同一符号は、同一または相当部分を示すものとする。
図１〜図４において、消弧室７の中には、可動接触子１と電源側端子２、負荷側端子３が設けられ、可動接触子１は、機構（図示せず）からの回転力を回動駆動棒６を介して伝達されることにより、回動動作する。回路遮断器のオン時は、可動接触子１の端部に設けられた可動接点１ａが電源側端子２の一端に設置された固定接点２ａと当接し、可動接触子１の端部に設けられた可動接点１ｂが負荷側端子３の一端に設置された固定接点３ｂと当接する。
【００１０】
電源側端子２の固定接点２ａが設けられているのと逆の一端には、電線と接続するためのねじ穴２ｂが設けられており、負荷側端子３の固定接点３ａが設けられているのと逆の一端には、過電流引き外し素子と接続するねじ穴３ｂが設けられている。
【００１１】
回路遮断器のオン時に、可動接触子１の可動接点１ａ、１ｂを固定接点２ａ、３ａに押し付ける接点接触圧力を出すために、引きばね４、５が回動駆動棒６の中に配置される。
引きばね４と引きばね５は、各々、図４に示すように、ばねを構成する２つのコイルの一方の端部同士がＵ形状の接続部４ｂ、５ｂによって接続され、各々一組の引きばね４、５として構成されている。そして、引きばね５は、Ｕ形状の接続部５ｂを可動接触子１の可動接点１ａと反対側の面１ｃに係合させ、面１ｃを跨いで、引きばね５の各コイル部分が可動接触子１の回動軸の軸方向両面に配置される。同様に、引きばね４は、Ｕ形状の接続部４ｂを可動接触子１の可動接点１ｂと反対側の面１ｄに係合させ、面１ｄを跨いで、引きばね４の各コイル部分が可動接触子１の回動軸の軸方向両面に配置される。
また、引きばね４、５には、コイルの他方の端部に各々一対のフック４ａ、５ａが、引きばねを構成するコイルの外側に設けられており、それぞれのフック４ａ、５ａが回動駆動棒６に設けられた固定リブ６ａ、６ｂに直接係合固定されている。
【００１２】
このように構成された実施の形態１の回路遮断器においては、通電状態（オン状態）の可動接触子１が、事故時の大電流発生の際には、電源側端子２と負荷側端子３から受ける電磁力により固定接点２ａ、３ａから離れる方向に回転する。この時、図２に示される、回動駆動棒６内の可動接触子反発空間６ｃ、６ｄには遮蔽物がないため、図１に示す可動接触子の開極量（反発量）Ａを、可動接触子１の断面積を小さくすること無く、大きくとることができる。その結果、回路遮断器の事故電流を限流する効果が大きくなる。
【００１３】
また、引きばね４、５は、２つのコイルをＵ形状接続部４ｂ、５ｂで接続され、フック４ａ、５ａは、回動駆動棒６の固定リブ６ａ、６ｂに直接係合されているため、他に部材を必要とせず安価で組み込みやすい構成となっている。
【図面の簡単な説明】
【００１４】
【図１】この発明の実施の形態１における回路遮断器の可動接触子反発状態を示す断面図である。
【図２】この発明の実施の形態１における回路遮断器のオンの状態を示す断面図である。
【図３】この発明の実施の形態１における回路遮断器のオフまたは、トリップの状態を示す断面図である。
【図４】この発明の実施の形態１における引きばねの形状を示す側面図と上面図である。
【符号の説明】
【００１５】
１  可動接触子、１ａ、１ｂ  可動接点、１ｃ、１ｄ  可動接触子の面、
２  電源側端子、２ａ  固定接点、２ｂ  ねじ穴、
３  負荷側端子、３ａ  固定接点、３ｂ  ねじ穴、
４  引きばね、４ａ  フック、４ｂ  Ｕ形状接続部、
５  引きばね、５ａ  フック、５ｂ  Ｕ形状接続部、
６  回動駆動棒、６ａ、６ｂ  固定リブ、６ｃ、６ｄ  可動接触子反発空間、
７  消弧室。
【図１】
2009158370.tif 000003
【図２】
2009158370.tif 000004
【図３】
2009158370.tif 000005
【図４】
2009158370.tif 000006